(57)【要約】      （修正有）【課題】スピーカーをイヤホンの本体の下方に垂らすことによってブルートゥースイヤホンの掛け心地を向上させると共に、スピーカーと本体によって共鳴効果が生じるのを防ぐことができるイヤホンを提供する。【解決手段】イヤホンは、ブルートゥース信号を送受信するための本体１０と、本体の一端から曲折延伸してなる耳掛け部２０と、可撓性接続部３０を介して耳掛け部に接続されるスピーカー４０と、を含む。また、イヤホンは、もう１つの可撓性接続部６０を介して本体の接続ポート１３に接続されるもう１つのスピーカー５０を更に含む。【選択図】図４
0003181807.tif 000002
【実用新案登録請求の範囲】
【請求項１】
ブルートゥース信号を送受信するための本体と、
前記本体の一端から曲折延伸してなる耳掛け部と、
第１の可撓性接続部を介して前記耳掛け部に接続される第１のスピーカーと、
を含むことを特徴とするブルートゥースイヤホン。
【請求項２】
前記本体は、前記本体における前記耳掛け部とは反対側の他端に位置する接続ポートを備えることを特徴とする請求項１に記載のブルートゥースイヤホン。
【請求項３】
前記第１のスピーカーと対応する第２のスピーカーを更に含み、
前記第２のスピーカーは、第２の可撓性接続部を介して前記接続ポートに接続され、
前記第２の可撓性接続部の長さは前記第１の可撓性接続部の長さよりも長い
ことを特徴とする請求項２に記載のブルートゥースイヤホン。
【請求項４】
前記第２の可撓性接続部は、前記接続ポートに対応する電気コネクタを備えることを特徴とする請求項３に記載のブルートゥースイヤホン。
【請求項５】
前記電気コネクタの規格は、Ｍｉｎｉ  ＵＳＢ又はＭｉｃｒｏ  ＵＳＢであることを特徴とする請求項４に記載のブルートゥースイヤホン。
【請求項６】
前記第１の可撓性接続部は音声ケーブルであることを特徴とする請求項５に記載のブルートゥースイヤホン。
【請求項７】
前記第１のスピーカーは前記音声ケーブルを介して前記耳掛け部における前記本体とは反対側の端部から垂れることを特徴とする請求項６に記載のブルートゥースイヤホン。
【考案の詳細な説明】
【技術分野】
【０００１】
本考案は、ブルートゥースイヤホンに関するものであり、特にスピーカーをイヤホンの本体の下方に垂れるように設けたブルートゥースイヤホンに関するものである。
【背景技術】
【０００２】
時代の進歩に従い、スマートフォン、ノートパソコン及びタブレットパーソナルコンピューター（Tablet Personal Computer）などの市販の家庭用電化製品（consumer-electronics device）の多くはブルートゥース信号を送受信する機能を有するため、ユーザーがブルートゥースイヤホン及び電子機器により電話を掛けたり音楽を聞いたりすることができるようになっている。
【０００３】
図１に示すように、従来のブルートゥースイヤホンは、本体１０’、第１のスピーカー２０’及び第２のスピーカー３０’を含む。第２のスピーカー３０’は音声ケーブル４０’を介して本体１０’に接続される。しかしながら、第１のスピーカー２０’と本体１０’とが相互に固定されるため、第１のスピーカー２０’をユーザーの耳に差し込むと、ユーザーの耳の形状や角度によって本体１０’の最適な搭載位置は異なる。すなわち、あらゆるユーザーの外耳道の角度に合わせることができず、掛け心地がよくない。また、第１のスピーカー２０’と本体１０’が相互に固定されるため、ユーザーが大音量で立体音声を聞く場合、第１のスピーカー２０’と本体１０’は共振によって共鳴効果を発生しやすく、第１のスピーカー２０’と第２のスピーカーで音声を聞く時、音声に差異が生じてユーザーに最良な立体音声の受聴品質を提供することができない。
【考案の概要】
【考案が解決しようとする課題】
【０００４】
そこで、如何にして構造設計により掛け心地及び共鳴効果を改善することのできるブルートゥースイヤホンを提供するかが重要な課題となる。そこで、本考案の出願人は、上記の問題点を改善するために、鋭意検討を行なった結果、合理的な設計で且つ上記の問題点を有効に改善する本考案を完成するに至った。
【課題を解決するための手段】
【０００５】
本考案の目的は、スピーカーをイヤホンの本体の下方に垂らすことによってブルートゥースイヤホンの掛け心地を向上すると共に、スピーカーと本体によって共鳴効果が生じるのを防ぐことができるブルートゥースイヤホンを提供することにある。
【０００６】
本考案に係るブルートゥースイヤホンは、ブルートゥース信号を送受信するための本体と、前記本体の一端から曲折延伸してなる耳掛け部と、可撓性接続部を介して前記耳掛け部に接続されるスピーカーと、を含む。また、本考案に係るブルートゥースイヤホンは、もう１つの可撓性接続部を介して前記本体の接続ポートに接続されるもう１つのスピーカーを更に含む。
【考案の効果】
【０００７】
本考案に係るブルートゥースイヤホンは、"スピーカーが可撓性接続部を介して耳掛け部に接続される"との設計により、ブルートゥースイヤホンの掛け心地を向上させると共に、スピーカーと本体によって共鳴効果が生じるのを防ぐことができる。
【図面の簡単な説明】
【０００８】
【図１】従来のブルートゥースイヤホンの模式図を示すものである。
【図２】本考案の係るブルートゥースイヤホンの第１の実施例の立体模式図を示すものである。
【図３】本考案に係るブルートゥースイヤホンがユーザーの耳に掛けられる場合の模式図を示すものである。
【図４】本考案に係るブルートゥースイヤホンの第２の実施例の立体分解図を示すものである。
【図５】本考案に係るブルートゥースイヤホンの第２の実施例の立体組立図を示すものである。
【考案を実施するための形態】
【０００９】
以下、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１０】
（第１の実施例）
図２及び図３を参照しながら説明する。本考案に係るブルートゥースイヤホン１００は、例えばノードパソコン、タブレットパーソナルコンピューター及びスマートフォンなどのブルートゥース信号送受信装置を備える電子機器に適用可能である。本考案に係るブルートゥースイヤホン１００は、本体１０、耳掛け部２０、可撓性接続部３０（以下、第１の可撓性接続部３０を称する）及びスピーカー４０（以下、第１のスピーカー４０を称する）を含む。
【００１１】
本体１０は、ブルートゥース信号を送受信するためのものである。耳掛け部２０は、本体１０の一端から曲折延伸してなるものである。第１のスピーカー４０は、第１の可撓性接続部３０を介して耳掛け部２０に接続される。より詳しく説明すると、本体１０には、２つの制御ボタン１１及び１つの機能ボタン１２が設けられる。制御ボタン１１は、第１のスピーカー４０の音量の大きさを制御するためのものである。機能ボタン１２は、ブルートゥース信号を選択的に送受信したり中断したりするためのものである。耳掛け部２０は、本体１０の一端から曲折延伸してなるものであり、本体１０と共にほぼ逆Ｊ字形を呈する。逆Ｊ字形の凹部により耳掛け部２０をユーザーの耳に掛けることができる。耳掛け部２０における本体１０とは反対側の端部には第１の可撓性接続部３０が接続される。第１の可撓性接続部３０は、音声ケーブルであることが好ましい。第１のスピーカー４０は、音声ケーブルである第１の可撓性接続部３０を介して耳掛け部２０の下方に垂れる。第１の可撓性接続部３０は、ゴムで製作したケーブルであってもよいが、これに限定されるものではなく、可撓性を有する材質で製作すればよい。また、第１のスピーカー４０は、カナル型（耳栓型）スピーカーであることが好ましい。
【００１２】
これにより、図３に示すように、ブルートゥースイヤホン１００がユーザーの耳に掛けられて第１のスピーカー４０がユーザーの外耳道に塞がれた場合、第１のスピーカー４０は、本体１０及びユーザーの外耳道の角度に制限されることなく、あらゆるユーザーの異なる外耳道の角度に合わせることができるため、最良な掛け心地を提供することができる。
【００１３】
（第２の実施例）
図４及び図５を参照しながら説明する。図４は、本考案に係るブルートゥールイヤホン２００の第２の実施例の立体分解図を示すものである。第１の実施例との相違点として、ブルートゥースイヤホン２００の本体１０は本体１０における耳掛け部２０とは反対側の他端に位置する接続ポート１３を備えることにある。また、ブルートゥースイヤホン２００は、第１のスピーカー４０と対応するもう１つのスピーカー４０（以下、第２のスピーカー５０を称する）及びもう１つの可撓性接続部６０（以下、第２の可撓性接続部６０を称する）を更に含む。第２の可撓性接続部６０の長さは第１の可撓性接続部３０の長さよりも長い。第２のスピーカー５０は、第２の可撓性接続部６０を介して接続ポート１３に接続される。第２の可撓性接続部６０は、接続ポート１３に対応する電気コネクタ６１を備える。電気コネクタ６１の規格は、Ｍｉｎｉ  ＵＳＢやＭｉｃｒｏ  ＵＳＢであってもよいが、これに限定されるものではない。
【００１４】
図５に示すように、ブルートゥースイヤホン２００を使用する時、第１のスピーカー４０でユーザーの一方の外耳道を塞ぎ、第２のスピーカー５０でユーザーの他方の外耳道を塞ぐことによって、ユーザーに最良な立体音声の受聴品質を提供することができる。また、第１のスピーカー４０は第１の可撓性接続部３０を介して耳掛け部２０の下に垂れるため、本体１０との間の共振で共鳴効果が発生することはない。これにより、ユーザーに最良な立体音声の受聴品質を提供することができる。
【００１５】
（実施例の効果）
上述したように、本考案に係るブルートゥースイヤホンは、"スピーカーが可撓性接続部を介して耳掛け部に接続される"との設計及び"もう１つのスピーカーを更に含む"との設計により、ブルートゥースイヤホンの掛け心地を向上すると共に、スピーカーと本体によって共鳴効果が生じるのを防ぐことができる。これにより、本考案に係るブルートゥースイヤホンのスピーカーが本体及びユーザーの外耳道の角度で制限されることない。更に、本考案に係るブルートゥースイヤホンによれば、２つのスピーカーのうちの何れかのスピーカーと本体との間の共振で共鳴効果が生じることがないため、２つのスピーカーで音声を聞く時、両者の音声には差異が生じない。
【００１６】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００１７】
１０’  本体
２０’  第１のスピーカー
３０’  第２のスピーカー
４０’  音声ケーブル
１００、２００  ブルートゥースイヤホン
１０  本体
１１  制御ボタン
１２  機能ボタン
１３  接続ポート
２０  耳掛け部
３０  第１の可撓性接続部
４０  第１のスピーカー
５０  第２のスピーカー
６０  第２の可撓性接続部
６１  電気コネクタ
【図１】
0003181807.tif 000003
【図２】
0003181807.tif 000004
【図３】
0003181807.tif 000005
【図４】
0003181807.tif 000006
【図５】
0003181807.tif 000007